(57)【要約】【課題】デジタルカメラ、ビデオカメラなどの映像機器に標準的に搭載されるＵＳＢ端子、またはＡＶ端子経由でセンサー情報を取得する機能を設けることにより、映像・音声と同時に記録したい情報を選択でき、かつカメラ本体を小型化することが可能な情報記録再生システムを提供することを目的とする。【解決手段】ＵＳＢなどの汎用の通信端子を用いて通信装置と撮像装置との間で通信を行うように構成したことにより、大幅なコストアップをせずに、各種センサーを用いた記録再生ができるものである。また、センサー情報を取得するための専用端子を用意する必要がなく、ホットシューでないアクセサリーシューでセンサーを固定しても、ＵＳＢケーブルを使用することでセンサー情報を撮像装置に取得できるようにしたものである。【選択図】図１
2006229276.tif 000002
【特許請求の範囲】
【請求項１】
外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムであって、前記通信装置からの検出信号を前記通信ケーブルを通じて前記撮像装置へ入力し、前記撮像装置で検出信号と映像信号とを記録媒体へ記録可能なことを特徴とする情報通信システム。
【請求項２】
撮像装置は、記録媒体へ記録された映像信号及び検出信号とを再生可能な再生手段を備えるとともに、前記再生手段によって再生された映像信号及び検出信号を表示可能な表示手段を備えたことを特徴とする請求項１記載の情報通信システム。
【請求項３】
外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムにおける通信装置であって、外部の情報を取得するセンサーと、前記センサーが取得したセンサー情報を前記撮像装置へ入力可能な信号に変換して出力する情報取得手段と、前記通信ケーブルが接続可能でかつ前記情報取得手段からの信号を出力可能な第１の端子とからなることを特徴とする通信装置。
【請求項４】
外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムにおける撮像装置であって、前記通信ケーブルが接続可能な第２の端子と、入射される光信号を撮像し映像信号として入力する映像入力手段と、前記第２の端子に入力される前記通信装置からの信号と前記映像入力手段からの信号とを入力し信号処理する信号処理手段と、前記信号処理手段からの信号を記録媒体に記録する記録手段と、映像信号を表示可能な表示手段と、前記信号処理手段からの信号を前記表示手段へ表示するよう制御する表示制御手段とからなることを特徴とする撮像装置。
【請求項５】
信号処理手段は、通信装置から入力される検出信号を、映像入力手段からの映像信号に重畳するよう処理することを特徴とする請求項４記載の撮像装置。
【請求項６】
カメラ外部の情報を取得するセンサーと、前記センサーが取得したセンサー情報をＵＳＢ規格に準拠した形式に変換し出力し、ＵＳＢ制御を行う情報取得部と、前記情報取得部とＵＳＢケーブルで接続するＵＳＢ端子と、前記ＵＳＢ端子経由で接続するＵＳＢ機器との接続を制御し、かつ前記情報取得部が出力する前記センサー情報を検出するＵＳＢ制御部と、カメラ本体に映像、音声信号を入力する映像・音声入力部と、前記ＵＳＢ制御部が検出した前記センサー情報と、前記映像・音声入力部で入力した映像・音声信号を合わせて記録媒体に記録する記録部と、記録媒体に記録された前記映像、音声信号と前記センサー情報を再生する再生部と、前記再生部が出力する映像、音声信号と、前記センサー情報を表示する表示部からなることを特徴とする情報記録再生システム。
【請求項７】
カメラ外部の情報を取得するセンサーと、前記センサーが取得したセンサー情報を映像出力信号に変換し出力するセンサー情報変換部と、前記センサー情報変換部と映像音声ケーブルで接続する映像音声端子と、前記映像音声端子から映像音声信号を入力あるいは出力することを決定する経路指示部と、前記経路指示部の決定に従い前記映像音声端子との映像音声信号の経路を切り替える経路切替部と、前記経路切替部が映像音声信号入力の場合入力された映像音声信号から前記センサー情報を検波するセンサー情報検波部と、カメラ本体に映像音声信号を入力する映像・音声入力部と、前記センサー情報検波部が検出した前記センサー情報と、前記映像・音声入力部で入力した映像・音声信号を合わせて記録媒体に記録する記録部と、記録媒体に記録された前記映像・音声信号と前記センサー情報を再生する再生部と、前記再生部が出力する映像・音声信号と、前記センサー情報を表示する表示部からなることを特徴とする情報記録再生システム。
【発明の詳細な説明】
【技術分野】
【０００１】
本発明は、高度、位置、速度など映像・音声と同時に記録すると有用な情報を取得し、記録／再生する情報記録再生システムに関するものである。
【背景技術】
【０００２】
映像、音声と同時に有用な情報を記録する装置として、位置情報システムＧＰＳ（全世界位置測位システム）を利用したカメラがある。このようなカメラとして、ＧＰＳ装置をカメラ本体のアクセサリーシューに取り付け、ＧＰＳ装置で取得した情報をアクセサリーシュー、または専用の信号伝送路経由でカメラ本体に伝送し、記録するものがある（特許文献１、２）。以下、背景技術の一例として、特許文献２の構成に基づいて説明する。
【０００３】
図５は従来の情報記録再生システムとしてのカメラ及び付属品の外観を表わした斜視図である。
【０００４】
図において、１はカメラであり、カメラ１において２はシャッター釦、３は付属品やフラッシュ装置などが装着されるアクセサリシュー、４はファインダー光学系の対物レンズ、５はピント合わせを行う場合に被写体に赤外光などを投光するＡＦ光源の投光部、６は被写体より反射された前記ＡＦ光源の光を受光するＡＦ受光部、７は測光センサーの受光部、８はカメラ下面にあり不図示のフィルム室蓋を開けたり閉じたりするためのノブ、９は撮影レンズである。１１はカメラに着脱可能な付属品であり、付属品１１において１２はＧＰＳ信号等の位置情報受信用アンテナ、１３は位置情報受信スイッチ、１４はカメラのアクセサリシューと接続される接続部である。
【０００５】
尚、カメラ１のアクセサリシュー３には通信用接点とフラッシュ発光用トリガ接点が設けられている。通信用接点としては既知の２線式または３線式のシリアル通信を行うための２または３個の接点を要し、フラッシュ発光用トリガ接点としては通称Ｘ接点と呼ばれるような１個の接点を要する。付属品１１の接続部１４には通信用接点が設けられており、これはやはり２または３個の接点を要する。
【０００６】
図６はカメラ１と付属品１１の間にフラッシュ装置７１が接続される場合を示している。フラッシュ装置７１において、７２は発光部、７３は付属品が装着される第２のアクセサリシュー、７４はカメラのアクセサリシューと接続される第２の接続部である。第２の接続部７４にはカメラ１のアクセサリシュー３と接続されるべく２または３個の通信用接点と１個のフラッシュ発光用トリガ接点が設けられている。
【０００７】
図７は付属品１１の電気回路構成を表すブロック図である。
【０００８】
図７においてアンテナ１２と接続部１４とは図５または図６に記載のものと同一である。アンテナ１２が受信した信号は信号増幅部６１に入力されて増幅され、さらに位置演算部６２に入力されて受信位置の緯度・経度情報が演算によって求められる。求められた受信位置の緯度・経度情報は制御部６３に出力される。制御部６３は例えばマイクロコンピュータ等によって構成される。尚、電気回路を動作させるためには電源となる電池が必要であるが、本図では省略している。制御部６３の具体的な動作を図８のフローチャートに従って説明する。
【０００９】
位置情報受信スイッチ１３がオンされて付属品１１の制御部６３が動作可能となるとフローチャートの（８１）から動作を開始する。
【００１０】
（８１）人工衛星から発信される位置情報に関する電波の受信ならびに電波の情報に基づく受信位置の演算を位置演算部６８にて開始させる。
【００１１】
（８２）位置演算部６８にて演算された受信位置の緯度・経度情報を入力する。
【００１２】
（８３）接続部１４に設けられた通信用接点を介して通信要求が送信されているかどうかをチェックする。もしも、通信要求が送信されてなければ（８１）へ戻る。通信要求が送信されているならば（８４）へ進む。
【００１３】
（８４）通信要求の内容をチェックする。通信要求の内容が付属品１１の装着確認要求であれば（８５）に進む。
【００１４】
（８５）付属品１１がカメラに装着されていることを示す内容のデータをカメラ側に対して送信する。送信が終了すると（８１）へ戻る。
【００１５】
前記（８４）のステップにて通信要求の内容が付属品１１の装着確認要求ではない場合は位置情報の送信要求であると判断し（８６）へ進む。
【００１６】
（８６）前記（８２）のステップで得られている受信位置の緯度・経度情報をカメラ側に対して送信する。送信が終了すると（８１）へ戻る。
【００１７】
以上で付属品１１の説明を終了する。
【００１８】
図９は図６にて説明したフラッシュ装置７１の構成を表すブロック図である。
【００１９】
図９において発光部７２、第２のアクセサリシュー７３、第２の接続部７４は図２で説明したものである。７５はフラッシュ装置の制御部、７６は電池の電圧を昇圧する昇圧回路部である。尚、発光部７２はキセノン管と反射傘およびトリガ回路などで構成される。７７はをカメラ側より第２の接続部７４を経由して制御部７５に信号出力される発光トリガ信号線、７８は制御部７５或いは第２のアクセサリシュー７３を経由して付属品１１側よりカメラ側に対してデータ通信をするための第１のデータ信号線、７９はカメラ側より制御部７５或いは第２のアクセサリシュー７３を経由して付属品１１側に対してデータ通信をするための第２のデータ信号線である。第１のデータ信号線７８と第２のデータ信号線７９はともに第２のアクセサリシュー７３及び第２の接続部７４の接点に接続されていることで図５にて示したようにフラッシュ装置７１の上部に付属品１１が接続された状態でもカメラ１と付属品１１のデータ通信を可能としている。フラッシュ装置７１の詳しい動作については本構成の主旨と深い関わりはないので省略する。
【特許文献１】特開２００２−３５０９７２号公報
【特許文献２】特開２００３−３３７３７４号公報
【発明の開示】
【発明が解決しようとする課題】
【００２０】
しかし、上記のような従来技術には、専用の信号伝送路経由では、カメラ本体に専用の端子を設ける必要があり、本体が大きくなり、さらにコストアップするという課題がある。
【００２１】
また、アクセサリーシューの通信用接点を用いた構成では、下記問題点がある。すなわち、カメラにおけるアクセサリーシューは、元来、フラッシュ（ストロボ）や照明装置や外部マイクロホンを接続するために設けられたものであり、したがってアクセサリーシューにおける通信用接点はフラッシュなどを制御可能にするために、専用の回路設計をする必要があった。よって、上記背景技術に示すようにＧＰＳアンテナを装着する場合は、ＧＰＳアンテナからの信号を受信し内部処理が可能なようにアクセサリーシューあるいは信号処理回路を設計する必要がある。そのために、回路設計によって発生するコストがアップしてしまう。
【００２２】
本発明は上記問題点に鑑み、デジタルカメラ、ビデオカメラなどの映像機器に標準的に搭載されている汎用端子（ＵＳＢ端子など）、またはＡＶ出力端子を経由して、センサーで取得した情報をカメラ本体に取り込むことにより、カメラ本体の大きさ、コストに影響を与えない情報記録再生システムを提供することを目的とする。
【課題を解決するための手段】
【００２３】
上記課題を解決するために本発明の情報記録再生システムは、
これにより、センサー情報を取得するための専用端子を用意する必要がなく、ホットシューでないアクセサリーシューでセンサーを固定しても、ＵＳＢケーブルまたはＡＶケーブルを使用することでセンサー情報をカメラ本体に取得できるようにしたものである。
【発明の効果】
【００２４】
以上のように本発明によれば、汎用端子経由でセンサー情報を取得する構成とすることにより、大幅なコストアップをせずに、各種センサーを用いた記録再生ができるものである。
【００２５】
また、センサー情報を取得するための専用端子を用意する必要がなく、ホットシューでないアクセサリーシューでセンサーを固定しても、汎用通信手段を使用することでセンサー情報を撮像装置に取得できるようにしたものである。
【発明を実施するための最良の形態】
【００２６】
本発明の請求項１、６、７に記載の発明は、外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムであって、前記通信装置からの検出信号を前記通信ケーブルを通じて前記撮像装置へ入力し、前記撮像装置で検出信号と映像信号とを記録媒体へ記録可能なことを特徴とする情報通信システムであって、これにより、通信装置において検出した信号（使用環境における位置情報などの情報を信号化したもの）を撮像装置へ入力し、撮像装置において撮影している映像信号とともに記録媒体へ記録することができる。
【００２７】
請求項２に記載の発明は、撮像装置は、記録媒体へ記録された映像信号及び検出信号とを再生可能な再生手段を備えるとともに、前記再生手段によって再生された映像信号及び検出信号を表示可能な表示手段を備えたものであり、これにより、記録媒体に記録された映像信号がどのような環境（位置や高度など）で撮影されたものであるかを、容易に確認することができる。
【００２８】
請求項３に記載の発明は、外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムにおける通信装置であって、外部の情報を取得するセンサーと、前記センサーが取得したセンサー情報を前記撮像装置へ入力可能な信号に変換して出力する情報取得手段と、前記通信ケーブルが接続可能でかつ前記情報取得手段からの信号を出力可能な第１の端子とからなることを特徴とする通信装置であって、従来から撮像装置に装備されているアクセサリーシューに装着可能であり、アクセサリーシュー経由ではなく別途通信ケーブル（汎用）を用いて撮像装置と接続可能に構成したことにより、撮像装置に装備されたアクセサリーシューがホットシューでなかったとしても、通信装置と撮像装置との間で信号の通信が可能となる。
【００２９】
請求項４に記載の発明は、外部の情報を検出信号として検出して取得可能でかつ通信が可能な通信装置と、前記通信装置からの信号を取得し映像信号とともに記録再生が可能な撮像装置とを備え、前記通信装置は前記撮像装置に装着固定が可能であるとともに、前記通信装置と前記撮像装置とを通信ケーブルで接続して通信が可能な情報通信システムにおける撮像装置であって、前記通信ケーブルが接続可能な第２の端子と、入射される光信号を撮像し映像信号として入力する映像入力手段と、前記第２の端子に入力される前記通信装置からの信号と前記映像入力手段からの信号とを入力し信号処理する信号処理手段と、前記信号処理手段からの信号を記録媒体に記録する記録手段と、映像信号を表示可能な表示手段と、前記信号処理手段からの信号を前記表示手段へ表示するよう制御する表示制御手段とからなることを特徴とする撮像装置であって、通信装置から送信される検出信号（センサー情報など）を、撮像手段で撮影した映像信号とともに記録媒体へ記録および表示手段へ表示することができるので、撮影した映像信号に対応した撮影環境や撮影位置などの情報を容易に確認することができる。
【００３０】
請求項５に記載の発明は、信号処理手段は、通信装置から入力される検出信号を、映像入力手段からの映像信号に重畳するよう処理するものであり、これにより、映像信号と検出信号（センサー信号）とを別々に記録された記録媒体を再生できない撮像装置で記録媒体を再生しようとしても、検出信号が映像として映像信号に重畳されているため、問題なく再生することができる。すなわち、検出信号の再生が非対応の撮像装置であっても、検出信号の情報を再生して確認することができる。
【００３１】
（実施の形態１）
図１は本発明における実施の形態の概略構成を示す斜視図、図２は同実施の形態における内部信号処理系の構成を示すブロック図、図３は同実施の形態における表示状態を示す模式図である。
【００３２】
まず、図１において、１０２は少なくともアクセサリーシュー１０２ｂと通信端子１０２ａとを備えた撮像装置で、本実施の形態では図示のようにビデオカメラを一例として用いた。用いる機器はビデオカメラに限るものではなく、少なくともアクセサリーシューとＵＳＢ端子などの汎用端子とを備えた機器であれば、他の機器であっても構わず、例えばデジタルスチルカメラなどがある。本実施の形態の撮像装置１０２であるビデオカメラには、光学信号を入力するレンズや撮像素子などからなる撮像手段１０２ｃを備えており、撮像手段１０２ｃから入射される光学信号を内部の信号処理回路で電気信号である映像信号に変換し、記録媒体に記録したり、液晶モニタなどの表示手段に表示したりすることができる。
【００３３】
１０２ａは撮像装置１０２に設けられた第２の端子である通信端子で、後述する通信装置１０１との間でデータ通信を行うための端子である。本実施の形態では、通信装置１０１と撮像装置１０２との間の通信手段として、ＵＳＢ規格に準拠したものを用いているため、本実施の形態における通信端子１０２ａはＵＳＢ端子としたが、これに限定されるものではない。
【００３４】
１０１は撮像装置１０２に機械的及び電気的に着脱可能な通信装置で、内部に各種センサーを設け、センサーで検出した情報を検出信号として撮像装置１０２に送信したり、撮像装置１０２から各種動作制御を受けたりする。本実施の形態では、通信装置１０１内に設けるセンサーとしては、通信装置１０１及び撮像装置１０２自体が現在位置している高度を計測する高度センサー、通信装置１０１及び撮像装置１０２自体が現在位置している位置を計測するＧＰＳ（全世界位置測位システム）などの位置センサー、通信装置１０１及び撮像装置１０２自体の移動速度あるいは撮像装置１０２が撮像機器の場合に撮影している被写体の移動速度を計測する速度センサーなどがあるが、これらに限定されるものではない。
【００３５】
１０１ａは通信装置１０１に設けられた汎用端子で構成された第１の端子である通信端子で、本実施の形態ではＵＳＢ（ユニバーサル・シリアル・バス）端子を用いたが、少なくとも撮像装置１０２との間で、データ通信が行えるものであればＵＳＢに限らず、他の通信プロトコルや通信端子を用いたものであってもよい。
【００３６】
１０１b]は通信装置１０１に設けられたシュー端子で、撮像装置１０２のアクセサリーシュー１０２bに接続可能な端子である。通常、カメラのアクセサリシューには、通信用接点とフラッシュ発光用トリガ接点が設けられている。通信用接点としては既知の２線式または３線式のシリアル通信を行うための２または３個の接点を要し、フラッシュ発光用トリガ接点としては通称Ｘ接点と呼ばれるような１個の接点を要する。本実施の形態におけるシュー端子１０１bには通信用接点が設けられており、これはやはり２または３個の接点を要する。
【００３７】
１０３は通信装置１０１と撮像装置１０２とを通信可能なように接続する通信ケーブルで、本実施の形態では通信装置１０１における通信端子１０１ａと撮像装置１０２における通信端子１０２bはＵＳＢ規格に準拠したものを用いたため、通信ケーブルとして用いるのは、ＵＳＢケーブルである。もちろん、本システムにおいて用いる通信プロトコルや通信規格によって、用いるケーブルは異なってくる。
【００３８】
１０３ａ及び１０３bは通信ケーブル１０３の両端に設けられたケーブル端子であり、１０３ａを通信端子１０１ａに接続し、１０３ｂを通信端子１０２ａに接続することができる。なお、それぞれのケーブル端子１０３ａと１０３ｂは、同形状の端子を用いてもよいし、少なくとも用いる通信規格に準拠していれば、それぞれ異なる形状の端子を用いてもよい。例えば、ＵＳＢ規格ではＡ端子とB端子と呼ばれる、形状が異なる端子が存在するが、ＵＳＢケーブル１０３の一方の端子をＡ端子、他方の端子をB端子としてもよい。
【００３９】
図２において、２１３は図１の通信装置１０１に相当し内部構成を示す通信装置、２１４は図１の撮像装置１０２に相当し内部構成を示す撮像装置、２１５は図１の通信ケーブル１０３に相当するＵＳＢケーブルである。
【００４０】
２０１は高度や速度や位置などの情報を取得するセンサーで、用いるセンサーの種類に応じて出力される信号が異なる。例えば、高度センサーを用いた場合は、標高ｎメートルや海抜ｎメートル（ｎは測定値）などの高度情報を出力する。速度センサーを用いた場合は、時速ｎキロメートルなどの速度情報を出力する。位置センサーを用いた場合は、緯度と経度の位置情報を出力する。なお、用いるセンサーの種類はこれらに限定されるものではない。２０２はセンサー２０１からの信号を取得しＵＳＢ規格に基づいた通信環境において撮像装置２１４側と通信状態をアクティブにする情報取得部である。２１２はＵＳＢケーブル２１５が接続されるＵＳＢ端子で、情報取得部２０２からの信号を撮像装置側へ出力するための端子である。図１における通信端子１０１ａに相当する。
【００４１】
２０３はＵＳＢケーブル２１５が接続される第２の端子であるＵＳＢ端子で、通信装置２１３からの信号を撮像装置２１４に入力するための端子である。図１における通信端子１０２ａに相当する。２０４はＵＳＢ端子２０３から入力された検出信号（センサー情報）を検出し出力するＵＳＢ制御部である。２０５は撮像装置２１４内に別途設けられた映像信号源（記録媒体から再生される映像信号や、撮像手段で撮像される映像信号など）から映像信号が入力される映像入力手段である映像入力部である。２０６はＵＳＢ制御部２０４から出力されるセンサー情報と映像入力部２０５から出力される映像信号とを入力し両者を合成して出力したり分離した状態で出力したりする信号処理手段である信号処理部であり、前記「合成」とはＯＳＤ（オンスクリーンディスプレイ）やＰｉｎＰ（ピクチャ・イン・ピクチャ）などのように、映像信号に文字情報を重畳する信号処理に相当する。２０７は信号処理部２０６から出力される信号を記録媒体２１０に記録する記録手段である記録部で、記録媒体２１０に記録するために必要な信号処理を行う信号処理手段や、記録媒体２１０に記録動作を行う手段などを包含する。２１０は記録部２０７からの信号が記録される記録媒体で、媒体の種類は特に限定しないが、例えば磁気テープなどのテープ状媒体や、光ディスクなどのディスク状媒体や、メモリカードなどの半導体メモリ媒体などがある。２１１は記録媒体２１０に記録された信号（少なくとも映像信号）を再生する再生部である。２０８は再生部２１１で再生出力される映像信号や、信号処理部２０６から出力される映像信号を表示部２０９にて表示可能な信号に処理するとともに、表示部２０９の動作を制御する表示制御手段である表示制御部である。２０９は表示制御部２０８からの制御により映像信号を表示する表示手段である表示部で、例えば撮像装置２１４が図１に示すようなビデオカメラであった場合、ビデオカメラに通常搭載されている液晶ディスプレイや電子ビューファインダが、この表示部２０９に相当する。
【００４２】
なお、図２において、図１におけるアクセサリーシュー１０２bやシュー端子１０１ｂに相当する構成を描画省略しているが、実際には別途備えており、撮像装置から通信装置側へ制御信号や電源供給を行ったりしている。
【００４３】
以上のように構成された本実施の形態について、以下その動作について説明する。
【００４４】
センサー２０１は、高度、速度、位置などの情報を取得し、出力する。出力されたセンサー情報は、情報取得部２０２に入力される。また、情報取得部２０２は、ＵＳＢケーブル２１５でＵＳＢ端子２０３と接続する。ＵＳＢ端子２０３は、撮像装置のＵＳＢ制御を行うＵＳＢ制御部２０４と接続する。情報取得部２０２は、ＵＳＢケーブル２１５、ＵＳＢ端子２０３を経由してＵＳＢ制御部２０４とＵＳＢ規格に準拠した方式で接続し、センサー２０１から入力されたセンサー信号をＵＳＢ規格に準拠した信号形式に変換し出力する。
【００４５】
情報取得部２０２からＵＳＢ端子２１２を介して出力されたセンサー信号は、ＵＳＢケーブル２１５、ＵＳＢ端子２０３を経由して、ＵＳＢ制御部２０４に入力される。ＵＳＢ制御部２０４は、入力されたセンサー情報を検出し出力する。出力されたセンサー情報は、信号処理部２０６に入力される。一方、撮像装置２１４に少なくとも映像信号を入力する映像入力部２０５は、入力した映像信号を信号処理部２０６へ出力する。
【００４６】
信号処理部２０６は、ＵＳＢ制御部２０４から入力されたセンサー情報と、映像入力部２０５から入力された映像信号を、合成するよう信号処理して記録部２０７へ出力したり、各信号を合成せずにシリアルあるいはパラレルに記録部２０７へ出力する。記録部２０７は入力される映像信号を記録媒体２１０に記録する。
【００４７】
また、再生部２１１は、記録媒体２１０に記録された少なくとも映像信号とセンサー情報あるいはセンサー情報が重畳された映像信号を同時に再生し、出力する。出力された映像信号とセンサー情報は表示制御部２０８に入力され、表示部２０９にて表示可能な信号に処理された後、表示部２０９で表示される。
【００４８】
次に、動作例を説明する。
【００４９】
本実施の形態の情報記録再生システム（撮像装置と通信装置とからなるもの）は、ビデオカメラやデジタルカメラの動画記録再生を想定している。
【００５０】
情報記録再生システムが動作すると、センサー２０１で検出したセンサー情報を、情報取得部２０２，ＵＳＢケーブル２１５、ＵＳＢ端子２０３、ＵＳＢ制御部２０４を経由して、信号処理部２０６に出力される。一方で信号処理部２０６には映像入力部２０５からの映像信号が入力される。本実施の形態では、撮像装置２１４として図１に示すようなビデオカメラを用いているため、撮像手段にて撮影中の映像信号が映像入力部２０５から入力されるものとする。
【００５１】
信号処理部２０６では、センサー情報と映像信号とを個々に記録部２０７へ出力してもよいし、重畳するよう合成して出力してもよい。個々に出力した場合は、記録部２０７はセンサー情報と映像信号とを記録媒体２１０における、それぞれ異なる箇所に書き込むが、センサー情報と映像信号との信号上の関連性は持たせておく。また、信号処理部２０６においてセンサー情報と映像信号とを合成する場合は、センサー情報に基づき検出値などの文字情報を生成し、生成した文字情報を映像信号の垂直・水平同期信号に同期させて、映像信号上に重畳させる。このようにして合成した映像信号を記録部２０７へ出力し、記録媒体２１０へ記録する。
【００５２】
一方、信号処理部２０６は、映像信号とセンサー情報とを合成した映像信号を表示制御部２０８へ出力し、表示部２０９へ表示する。したがって、記録部２０７にて記録媒体２１０へ記録しようとしている、センサー情報を含む映像信号を表示部２０９へ表示させることができる。その表示状態を図３に示す。
【００５３】
これにより、センサー２０１を搭載した通信装置２１３とＵＳＢケーブル２１５を用意するだけで、さらにセンサーの種類を変えることにより、例えば、野球場で投手の投げるボールの速度を検出する速度センサー、山登り時に自分のいる高さを検出する高度センサー、スキューバーダイビング時は水深を検出する水深センサーなどに置き換えることで、映像信号の動きと同時に変化する情報を記録することが可能となる。
【００５４】
さらに、再生時には、映像、音声と共に画面上にセンサー情報を表示することで、記録した際の速度、高さ、水深などを知ることができる。その表示例を図３に示す。図３において、同図（ａ）は画面上に位置情報（緯度や経度）を表示させた状態、同図（ｂ）は画面上に速度情報を表示させた状態、同図（ｃ）は画面上に高度情報を表示させた状態である。
【００５５】
なお、本実施の形態では、表示形態は図３に示すようなものに限るものではなく、他の形態であっても構わない。例えば、文字情報だけに限らず、図形やイラストを用いてもよい。
【００５６】
また、センサーからの情報をそのまま表示するだけでなく、他の情報と連携して表示させてもよい。例えば、センサーとして位置センサーを用いた場合、撮像装置内に緯度・経度データに対応した住所データを記憶させておき、位置センサーで検出した緯度・経度データに基づいて住所データを導き、表示あるいは記録媒体への記録を行うようにすることで、撮影場所の住所を表示させたり記録媒体に記録できたりすることができる。
【００５７】
以上のように本実施の形態によれば、ＵＳＢなどの汎用の通信端子を用いて通信装置と撮像装置との間で通信を行うように構成したことにより、大幅なコストアップをせずに、各種センサーを用いた記録再生ができるものである。
【００５８】
また、センサー情報を取得するための専用端子を用意する必要がなく、ホットシューでないアクセサリーシューでセンサーを固定しても、ＵＳＢケーブルを使用することでセンサー情報を撮像装置に取得できるようにしたものである。
【００５９】
また、信号処理部において、センサー情報を映像として映像入力部からの映像信号に重畳することにより、映像信号と検出信号（センサー信号）とを別々に記録された記録媒体を再生できない撮像装置で記録媒体を再生しようとしても、検出信号が映像として映像信号に重畳されているため、問題なく再生することができる。すなわち、検出信号の再生が非対応の撮像装置であっても、検出信号の情報を再生して確認することができる。
【００６０】
（実施の形態２）
図４は本発明における情報記録再生システムの第２の実施の形態である。本実施の形態で実施の形態１と異なるのは、通信装置と撮像装置とのデータ通信をＵＳＢではなく、既知の映像音声ケーブル（以下、ＡＶケーブルと記す）で行うようにした点である。
【００６１】
図４において、３０１は高度や速度や位置などの情報を取得するセンサーで、用いるセンサーの種類に応じて出力される信号が異なる。例えば、高度センサーを用いた場合は、標高ｎメートルや海抜ｎメートル（ｎは測定値）などの高度情報を出力する。速度センサーを用いた場合は、時速ｎキロメートルなどの速度情報を出力する。位置センサーを用いた場合は、緯度と経度の位置情報を出力する。なお、用いるセンサーの種類はこれらに限定されるものではない。
【００６２】
３０２はセンサー３０１からの信号を取得し、後述するＡＶケーブルにて撮像装置へ伝送可能な信号（映像信号）に変換するセンサー情報変換部である。３１２は通信装置３１３と撮像装置３１４とを接続するＡＶケーブルで、通常は映像音声信号の送受信のために用いられるものである。３０３はＡＶケーブル３１２を介してセンサー情報変換部３０２から送信されるセンサー情報を入力するＡＶ端子で、ＡＶケーブル３１２を物理的及び電気的に接続可能な端子である。３０５は使用者によって入出力経路を切り替え操作が可能な経路指示部である。３０４は経路指示部３０５からの指示によりＡＶ端子３０３が入力端子として機能するのか出力端子として機能するのかを切り替えることができる経路切替部であり、「入力」を選択した場合は通信装置３１３からの信号を撮像装置３１４へ入力することが可能になる。３０６は経路切替部３０４から出力される信号からセンサー情報を検波するセンサー情報検波部である。３１０は内部の撮像手段あるいは外部入力により映像音声信号を入力することができる映像音声入力部である。３１１は映像音声入力部３１０とセンサー情報検波部３０６からの信号とを記録媒体３０７へ記録するよう制御する記録部である。３０８は記録媒体３０７に記録された映像音声信号とセンサー情報とを再生可能な再生部である。３０９は再生部３０８で再生された映像信号を表示可能な表示部である。
【００６３】
なお、図４において、アクセサリーシューやシュー端子に相当する構成を描画省略しているが、実際には別途備えており、撮像装置から通信装置側へ制御信号や電源供給を行ったりしている。
【００６４】
以上のように構成された本実施の形態について、以下その動作について説明する。
【００６５】
センサー１は、高度、速度、位置などの情報を取得し、出力する。出力されたセンサー情報は、センサー情報変換部２２に入力される。また、センサー情報変換部２２は、ＡＶケーブルでＡＶ端子２３と接続する。ＡＶ端子２３は、ＡＶ信号の経路を制御する経路切替部２４と接続する。センサー情報変換部２２は、入力されたセンサー情報を、ＡＶ信号の形式に変換し、出力する。出力されたセンサー情報は、ＡＶ端子２３を経由して経路切替部２４に入力される。
【００６６】
一方、経路指示部２５は、ＡＶ端子２３からＡＶ信号を出力するか、または入力するかをメニューなどによりユーザーが決定し、決定した結果を出力する。経路指示部２５の出力は、経路切替部２４に入力される。経路指示部２５で“入力“と決定した場合、経路切替部２４は、ＡＶ端子２３を経由して経路切替部２４に入力されたセンサー情報を、センサー情報検波部２６に出力する。
【００６７】
センサー情報検波部２６は、ＡＶ信号に変換されたセンサー情報を検波し、出力する。出力されたセンサー情報は、記録部６に入力される。一方、カメラ本体に映像信号、音声信号を入力する映像・音声入力部５は、入力した映像・音声信号を出力する。出力された映像・音声信号は、記録部６に入力される。記録部６は、入力されたセンサー情報と、映像・音声信号を、記録媒体７に記録する。再生部８は、記録媒体に記録された映像・音声信号とセンサー情報を同時に再生し、出力する。出力された映像・音声信号とセンサー情報は表示部に入力され、表示される。
【００６８】
次に、図２に示す情報記録再生システムの動作例を説明する。
【００６９】
実施の形態１と同様に、情報記録再生システムが動作すると、センサー１で検出したセンサー情報を、センサー情報変換部２２，ＡＶケーブル、ＡＶ端子２３、経路切替部２４，センサー情報検波部２６を経由して、記録部６に出力される。
【００７０】
これにより、センサーとＡＶケーブルを用意するだけで、実施例１と同様の効果を得ることができる。
【００７１】
以上のように本実施の形態によれば、デジタルカメラ、ビデオカメラなどの映像機器使用時に、記録したい情報を検出するセンサーと、ＵＳＢケーブルまたはＡＶケーブルを用意するだけで、専用の端子を準備することなく、映像、音声と同時に記録したい情報を記録することができる。
【００７２】
また、センサー情報を取得するための専用端子を用意する必要がなく、ホットシューでないアクセサリーシューでセンサーを固定しても、ＡＶケーブルを使用することでセンサー情報を撮像装置に取得できるようにしたものである。
【産業上の利用可能性】
【００７３】
本発明は、アクセサリーシューと汎用通信端子を備えたビデオカメラやデジタルカメラに用いて有効なものである。
【図面の簡単な説明】
【００７４】
【図１】本発明の実施の形態における情報通信システムの概略構成を示す斜視図
【図２】本発明の実施の形態１における情報通信システムの内部構成を示すブロック図
【図３】同実施の形態におけるセンサー情報を表示した状態を示す模式図
【図４】本発明の実施の形態２における情報通信システムの内部構成を示すブロック図
【図５】従来の情報通信システムの構成を示す斜視図
【図６】従来の情報通信システムの構成を示す斜視図
【図７】従来の情報通信システムの構成を示すブロック図
【図８】従来の情報通信システムの構成を示すフロー図
【図９】従来の情報通信システムの構成を示すブロック図
【符号の説明】
【００７５】
１    センサー
２    情報取得部
３    ＵＳＢ端子
４    ＵＳＢ制御部
５    映像・音声入力部
６    記録部
７    記録媒体
８    再生部
９    表示部
２２    センサー情報変換部
２３    ＡＶ端子
２４    経路切替部
２５    経路指示部
２６    センサー情報検波部
【図１】
2006229276.tif 000003
【図２】
2006229276.tif 000004
【図３】
2006229276.tif 000005
【図４】
2006229276.tif 000006
【図５】
2006229276.tif 000007
【図６】
2006229276.tif 000008
【図７】
2006229276.tif 000009
【図８】
2006229276.tif 000010
【図９】
2006229276.tif 000011